(57)【特許請求の範囲】
【請求項１】
商品の属性を特定可能な商品特定情報を受け付ける受付手段と、
商品の属性毎に真正商品かどうかを評価するための特徴部分が映った真正画像と、該特徴部分を特定可能なガイド画像である指定情報とが関連付けて記憶された記憶手段から、前記商品特定情報によって特定された商品の属性に対応する指定情報を取得する取得手段と、
前記記憶手段から取得された指定情報に基づいて前記商品の特徴部分を指定して撮影をユーザに要求すると共に、当該撮影により得られた撮影画像を要求する要求手段と、
前記要求に応じて提供された撮影画像と、前記記憶手段に記憶されている真正画像とに基づいて得られた評価結果を出力する出力手段と、
前記商品特定情報により特定される商品の属性に対応する前記真正画像からエッジを検出することにより前記特徴部分の輪郭を抽出して前記ガイド画像を生成する生成手段と、
を備える商品評価装置。
【請求項２】
商品の属性を特定可能な商品特定情報を受け付ける受付手段と、
商品の属性毎に真正商品かどうかを評価するための特徴部分が映った真正画像と、該特徴部分を指定する指定情報とが関連付けて記憶された記憶手段から、前記商品特定情報によって特定された商品の属性に対応する指定情報を取得する取得手段と、
前記記憶手段から取得された指定情報に基づいて前記商品の特徴部分を指定して撮影をユーザに要求すると共に、当該撮影により得られた撮影画像を要求する要求手段と、
前記商品特定情報により特定される商品の真正商品の特徴部分が表された真正画像と、前記撮影画像との類似度に基づき信頼度を評価結果として算出する評価手段と、
前記評価手段により算出された評価結果を出力する出力手段と、を備え、
前記評価手段は、前記撮影画像における商品の特徴部分が表された領域と前記真正画像における特徴部分が表された領域との類似度が所定の程度以上である場合に、前記撮影画像における商品の特徴部分が表された領域以外の領域と前記真正画像における特徴部分が表された領域以外の領域との類似度及び前記特徴部分の領域の類似度に基づき信頼度を算出する、
商品評価装置。
【請求項３】
商品の属性を特定可能な商品特定情報を受け付ける受付手段と、
商品の属性毎に真正商品かどうかを評価するための特徴部分が映った真正画像と、該特徴部分を指定する指定情報とが関連付けて記憶された記憶手段から、前記商品特定情報によって特定された商品の属性に対応する指定情報を取得する取得手段と、
前記記憶手段から取得された指定情報に基づいて前記商品の特徴部分を指定して撮影をユーザに要求すると共に、当該撮影により得られた撮影画像を要求する要求手段と、
前記商品特定情報により特定される商品の真正商品の特徴部分が表された真正画像と、前記要求に応じて提供された撮影画像との類似度に基づき信頼度を評価結果として算出する評価手段と、
前記評価手段により算出された評価結果を出力する出力手段と、を備え、
前記評価手段は、前記商品特定情報に前記指定情報及び前記真正画像が対応付けられた特徴情報を複数記憶している記憶手段を参照して、前記撮影画像と所定の程度以上の類似度を有する真正画像に対応付けられた商品特定情報を補完商品情報として抽出し、
前記出力手段は、前記補完商品情報を含む評価結果を出力する、
商品評価装置。
【請求項４】
商品の属性を特定可能な商品特定情報を受け付ける受付手段と、
商品の属性毎に真正商品かどうかを評価するための特徴部分が映った真正画像と、該特徴部分を指定する指定情報とが関連付けて記憶された記憶手段から、前記商品特定情報によって特定された商品の属性に対応する指定情報を取得する取得手段と、
前記記憶手段から取得された指定情報に基づいて前記商品の特徴部分を指定して撮影をユーザに要求すると共に、当該撮影により得られた撮影画像を要求する要求手段と、
前記商品特定情報により特定される商品の真正商品の特徴部分が表された真正画像と、前記要求に応じて提供された撮影画像との類似度に基づき信頼度を評価結果として算出する評価手段と、
前記評価手段により算出された評価結果を出力する出力手段と、を備え、
一の商品について前記要求に応じて複数の撮影画像が提供され、各撮影画像には当該撮影画像が撮影された場所を示す位置情報がそれぞれ対応づけられ、
前記評価手段は、一つの商品について提供された前記複数の撮影画像に対応する複数の位置情報同士の相違に基づいて信頼度を算出する、
商品評価装置。
【請求項５】
商品の属性を特定可能な商品特定情報を受け付ける受付手段と、
商品の属性毎に真正商品かどうかを評価するための特徴部分が映った真正画像と、該特徴部分を指定する指定情報とが関連付けて記憶された記憶手段から、前記商品特定情報によって特定された商品の属性に対応する指定情報を取得する取得手段と、
前記記憶手段から取得された指定情報に基づいて前記商品の特徴部分を指定して撮影をユーザに要求すると共に、当該撮影により得られた撮影画像を要求する要求手段と、
前記商品特定情報により特定される商品の真正商品の特徴部分が表された真正画像と、前記要求に応じて提供された撮影画像との類似度に基づき信頼度を評価結果として算出する評価手段と、
前記評価手段により算出された評価結果を出力する出力手段と、を備え、
前記評価手段は、前記撮影画像が、前記ユーザから取得した他の商品の撮影画像と同一である場合に、同一でない場合より信頼度を低く算出する、
商品評価装置。
【請求項６】
前記出力手段は、商品の取引のために商品に関する商品情報を記憶させるための商品情報記憶手段に、前記信頼度が所定値未満である撮影画像に対応する商品情報が登録されないように制御する、
請求項２〜５のいずれか一項に記載の商品評価装置。
【請求項７】
コンピュータにより実行される商品評価方法であって、
商品の属性を特定可能な商品特定情報を受け付ける受付ステップと、
商品の属性毎に真正商品かどうかを評価するための特徴部分が映った真正画像であって、前記商品特定情報により特定される商品の属性に対応する前記真正画像からエッジを検出することにより前記特徴部分の輪郭を抽出して、商品の特徴部分を特定可能なガイド画像を生成し、記憶手段に記憶させる生成ステップと、
商品の真正画像と、当該商品の前記ガイド画像である指定情報とが関連付けて記憶された記憶手段から、前記商品特定情報によって特定された商品の属性に対応する指定情報を取得する取得ステップと、
前記記憶手段から取得された指定情報に基づいて前記商品の特徴部分を指定して撮影をユーザに要求すると共に、当該撮影により得られた撮影画像を要求する要求ステップと、
前記要求に応じて提供された撮影画像と、前記記憶手段に記憶されている真正画像とに基づいて得られた評価結果を出力する出力ステップと、
を有する商品評価方法。
【請求項８】
コンピュータにより実行される商品評価方法であって、
商品の属性を特定可能な商品特定情報を受け付ける受付ステップと、
商品の属性毎に真正商品かどうかを評価するための特徴部分が映った真正画像と、該特徴部分を指定する指定情報とが関連付けて記憶された記憶手段から、前記商品特定情報によって特定された商品の属性に対応する指定情報を取得する取得ステップと、
前記記憶手段から取得された指定情報に基づいて前記商品の特徴部分を指定して撮影をユーザに要求すると共に、当該撮影により得られた撮影画像を要求する要求ステップと、
前記商品特定情報により特定される商品の真正商品の特徴部分が表された真正画像と、前記撮影画像との類似度に基づき信頼度を評価結果として算出する評価ステップと、
前記評価ステップにおいて算出された評価結果を出力する出力ステップと、を有し、
前記評価ステップにおいて、前記撮影画像における商品の特徴部分が表された領域と前記真正画像における特徴部分が表された領域との類似度が所定の程度以上である場合に、前記撮影画像における商品の特徴部分が表された領域以外の領域と前記真正画像における特徴部分が表された領域以外の領域との類似度及び前記特徴部分の領域の類似度に基づき信頼度を算出する、
商品評価方法。
【請求項９】
コンピュータに、
商品の属性を特定可能な商品特定情報を受け付ける受付機能と、
商品の属性毎に真正商品かどうかを評価するための特徴部分が映った真正画像と、該特徴部分を特定可能なガイド画像である指定情報とが関連付けて記憶された記憶手段から、前記商品特定情報によって特定された商品の属性に対応する指定情報を取得する取得機能と、
前記記憶手段から取得された指定情報に基づいて前記商品の特徴部分を指定して撮影をユーザに要求すると共に、当該撮影により得られた撮影画像を要求する要求機能と、
前記要求に応じて提供された撮影画像と、前記記憶手段に記憶されている真正画像とに基づいて得られた評価結果を出力する出力機能と、
前記商品特定情報により特定される商品の属性に対応する前記真正画像からエッジを検出することにより前記特徴部分の輪郭を抽出して前記ガイド画像を生成する生成機能と、
を実現させる商品評価プログラム。
【請求項１０】
コンピュータに、
商品の属性を特定可能な商品特定情報を受け付ける受付機能と、
商品の属性毎に真正商品かどうかを評価するための特徴部分が映った真正画像と、該特徴部分を指定する指定情報とが関連付けて記憶された記憶手段から、前記商品特定情報によって特定された商品の属性に対応する指定情報を取得する取得機能と、
前記記憶手段から取得された指定情報に基づいて前記商品の特徴部分を指定して撮影をユーザに要求すると共に、当該撮影により得られた撮影画像を要求する要求機能と、
前記商品特定情報により特定される商品の真正商品の特徴部分が表された真正画像と、前記要求に応じて提供された撮影画像との類似度に基づき信頼度を評価結果として算出する評価機能と、
前記評価機能により算出された評価結果を出力する出力機能と、を実現させ、
前記評価機能は、前記撮影画像における商品の特徴部分が表された領域と前記真正画像における特徴部分が表された領域との類似度が所定の程度以上である場合に、前記撮影画像における商品の特徴部分が表された領域以外の領域と前記真正画像における特徴部分が表された領域以外の領域との類似度及び前記特徴部分の領域の類似度に基づき信頼度を算出する、
商品評価プログラム。
【発明の詳細な説明】
【技術分野】
【０００１】  本発明の一側面は、商品評価装置、商品評価方法及び商品評価プログラムに関する。
【背景技術】
【０００２】  近年、インターネットを介したオークションが盛んに行われている（例えば、特許文献１参照）。インターネットオークションでは、出品者が撮影画像等を含む商品情報をオークションサイトにアップロードする。そして、商品の購入希望者は、アップロードされた商品情報を参照して入札を検討する。
【先行技術文献】
【特許文献】
【０００３】
【特許文献１】特開２００７−２０６９９２号公報
【発明の概要】
【発明が解決しようとする課題】
【０００４】  インターネットオークションでは、種々の商品の取り引きが行われている。取り引きされる商品には、ブランドの商品（ブランド品）も含まれる。ブランド品の取り引きにおいて、偽物が出品または販売される虞がある。真性品であるか偽物であるかを購入希望者等が商品の画像から判断するのは困難である。この問題は、インターネットオークションに限られず、インターネットを介した商取引（電子商取引）一般の問題でもある。また、電子商取引サイトの管理者としては、偽物の商品が取り引きされることを防止したいといった要請がある。また、現実の店舗でも偽物が販売されている場合がある。購入希望者が実物を見ても真正品であるか偽物であるか判断が困難な場合がある。【０００５】  そこで本発明の一側面は、偽物の商品が取り引きの対象とされることを抑制することを目的とする。
【課題を解決するための手段】
【０００６】  上記課題を解決するために、本発明の一形態に係る商品評価装置は、商品の属性を特定可能な商品特定情報を受け付ける受付手段と、商品の属性毎に真正商品かどうかを評価するための特徴部分が映った真正画像と、該特徴部分を指定する指定情報とが関連付けて記憶された記憶手段から、商品特定情報によって特定された商品の属性に対応する指定情報を取得する取得手段と、記憶手段から取得された指定情報に基づいて商品の特徴部分を指定して撮影をユーザに要求すると共に、当該撮影により得られた撮影画像を要求する要求手段と、要求に応じて提供された撮影画像と、記憶手段に記憶されている真正画像とに基づいて得られた評価結果を出力する出力手段と、を備える。【０００７】  本発明の一形態に係る商品評価方法は、コンピュータにより実行される商品評価方法であって、商品の属性を特定可能な商品特定情報を受け付ける受付ステップと、商品の属性毎に真正商品かどうかを評価するための特徴部分が映った真正画像と、該特徴部分を指定する指定情報とが関連付けて記憶された記憶手段から、商品特定情報によって特定された商品の属性に対応する指定情報を取得する取得ステップと、記憶手段から取得された指定情報に基づいて商品の特徴部分を指定して撮影をユーザに要求すると共に、当該撮影により得られた撮影画像を要求する要求ステップと、要求に応じて提供された撮影画像と、記憶手段に記憶されている真正画像とに基づいて得られた評価結果を出力する出力ステップと、を有する。【０００８】  本発明の一形態に係る商品評価プログラムは、コンピュータに、商品の属性を特定可能な商品特定情報を受け付ける受付機能と、商品の属性毎に真正商品かどうかを評価するための特徴部分が映った真正画像と、該特徴部分を指定する指定情報とが関連付けて記憶された記憶手段から、商品特定情報によって特定された商品の属性に対応する指定情報を取得する取得機能と、記憶手段から取得された指定情報に基づいて商品の特徴部分を指定して撮影をユーザに要求すると共に、当該撮影により得られた撮影画像を要求する要求機能と、要求に応じて提供された撮影画像と、記憶手段に記憶されている真正画像とに基づいて得られた評価結果を出力する出力機能と、を実現させる。【０００９】  上記側面によれば、商品の特徴部分の画像の撮影がユーザに対して要求され、要求に応じてユーザにおいて撮影された撮影画像が取得され、撮影画像と真正画像とに基づく評価結果が出力されることとなる。即ち、真性品と偽物との判別が可能であるような特徴部分の画像の撮影がユーザに要求されることとなり、その評価結果がユーザに認識されるので、偽物が取り引きの対象とされることを抑制できる。【００１０】  さらに別の側面に係る商品評価装置は、出力手段は、商品の取引のために商品が表示される商品ページに評価結果を表示させることとしてもよい。【００１１】  この側面によれば、当該商品の商品ページに評価結果が表示されるので商品が真正商品である可能性の商品ページを閲覧したユーザによる判断が可能となる。【００１２】  別の側面に係る商品評価装置は、商品特定情報により特定される商品の真正商品の特徴部分が表された真正画像と、撮影画像との類似���に基づき信頼度を評価結果として算出する評価手段を更に備え、出力手段は、評価手段による評価結果を出力することとしてもよい。【００１３】  この側面によれば、真正画像との類似度に基づき判定された撮影画像の信頼度が評価結果として出力されるので、評価結果に基づき商品が真正商品である可能性の判断が可能となる。よって偽物が取り引きの対象とされることが抑制される。【００１４】  さらに別の側面に係る商品評価装置では、出力手段は、商品情報の提示要求に応じて、信頼度が高いほどより上位に表示されるように複数の商品情報を出力することとしてもよい。【００１５】  この側面によれば、提示要求に応じた商品情報の提示に際して、偽物である可能性が高い商品の商品情報が、提示されにくくなる。【００１６】  さらに別の側面に係る商品評価装置では、出力手段は、商品の取引のために商品に関する商品情報を記憶させるための商品情報記憶手段に、信頼度が所定値未満である撮影画像に対応する商品情報が登録されないように制御することとしてもよい。【００１７】  この側面によれば、偽物である可能性が高い商品が取引の対象とされることが防止される。【００１８】  さらに別の側面に係る商品評価装置では、評価手段は、商品特定情報に指定情報及び真正画像が対応付けられた特徴情報を複数記憶している記憶手段を参照して、撮影画像と所定の程度以上の類似度を有する真正画像に対応付けられた商品特定情報を補完商品情報として抽出し、出力手段は、補完商品情報を含む評価結果を出力することとしてもよい。【００１９】  この側面によれば、撮影画像に表された商品を特定する情報として、より確からしい情報が出力されるので、商品が真正商品である可能性の判断が可能となる。【００２０】  さらに別の側面に係る商品評価装置では、一の商品について要求に応じて複数の撮影画像が提供され、各撮影画像には撮影した位置を示す位置情報がそれぞれ対応づけられ、評価手段は、一つの商品について提供された複数の撮影画像に対応する複数の位置情報同士の相違に基づいて信頼度を算出することとしてもよい。【００２１】  複数の撮影画像の各々に対応付けられた位置情報が相違する場合には、取得した撮影画像の少なくともいずれかが取引に供する商品の画像ではない可能性がある。上記側面によれば、そのような場合に当該商品の信頼度がより低く算出されるので、偽物である可能性が高い商品が取り引きの対象とされることが防止される。【００２２】  さらに別の側面に係る商品評価装置では、評価手段は、撮影画像が、ユーザから取得した他の商品の撮影画像と同一である場合に、同一でない場合より信頼度を低く算出することとしてもよい。【００２３】  取り引きの対象の商品の撮影画像としてユーザから取得した撮影画像が、当該ユーザから取得した他の商品の撮影画像と同一である場合には、取得した撮影画像が取り引きに供する商品の画像ではない可能性がある。上記側面によれば、そのような場合に当該商品の信頼度がより低く算出されるので、偽物である可能性が高い商品が取り引きの対象とされることが防止される。【００２４】  さらに別の側面に係る商品評価装置では、評価手段は、撮影画像における商品の特徴部分が表された領域と真���画像における特徴部分が表された領域との類似度が所定の程度以上である場合に、撮影画像における商品の特徴部分が表された領域以外の領域と真正画像における特徴部分が表された領域以外の領域との類似度及び特徴部分の領域の類似度に基づき信頼度を算出することとしてもよい。【００２５】  上記側面によれば、真正品から取り外された特徴部分が取り付けられた非真正品の撮影画像がユーザから送信された場合であっても、特徴部分以外の類似度が評価に用いられるので、信頼度を適切に評価できる。【００２６】  さらに別の側面に係る商品評価装置では、指定情報は、商品の特徴部分を特定可能なガイド画像であってもよい。【００２７】  この側面によれば、商品の特徴部分を視覚的に認識できるので、ユーザにおける撮影画像の撮影が容易となる。【００２８】  さらに別の側面に係る商品評価装置は、商品特定情報により特定される商品の属性に対応する真正画像に基づきガイド画像を生成する生成手段、をさらに備えることとしてもよい。【００２９】  この側面によれば、ユーザに対して出力するためのガイド画像を容易に準備することができる。
【発明の効果】
【００３０】  本発明の一側面によれば、偽物の商品が取り引きの対象とされることを抑制することが可能となる。
【図面の簡単な説明】
【００３１】
【図１】実施形態に係る商品評価装置を含むシステムの構成を示す図である。
【図２】商品評価装置の機能構成を示すブロック図である。
【図３】商品評価装置のハードウェア構成を示す図である。
【図４】特徴情報記憶部の構成及び記憶されているデータの例を模式的に示す図である。
【図５】ガイド画像の例を示す図である。
【図６】真正画像の例を模式的に示す図である。
【図７】出力部により出力される評価結果の一例を示す図である。
【図８】信頼度が表示された商品ページの一例を示す図である。
【図９】商品情報記憶部の構成及び記憶されているデータの例を模式的に示す図である。
【図１０】ガイド画像の生成を説明するための図である。
【図１１】一の商品に関する信頼度の評価のために端末装置から送信された複数の撮影画像の例を示す図である。
【図１２】撮影画像が記憶されている商品情報記憶部の構成及びデータの例を示す図である。
【図１３】商品評価装置における商品評価方法の処理内容の例を示すフローチャートである。
【図１４】商品評価プログラムの構成を示す図である。
【発明を実施するための形態】
【００３２】  以下、添付図面を参照しながら本発明の実施形態を詳細に説明する。なお、図面の説明において同一又は同等の要素には同一の符号を付し、重複する説明を省略する。
【００３３】  図１は、本実施形態に係る商品評価装置を含むシステムの構成を示す図である。商品評価装置１は、例えば、電子商取引サイトを構成する電子商取引サーバに構成される。商品評価装置１は、ネットワークＮを介してユーザの端末装置Ｔを通信可能である。端末装置Ｔのユーザは、例えば、電子商取引サイトに商品を出品する店舗である。
【００３４】  また、商品評価装置１は、オークションサイトを構成するサーバに構成されることとしてもよい。その場合には、端末装置Ｔのユーザは、例えば、オークションにおける出品者である。
【００３５】  また、商品評価装置１は、電子商取引サイトやオークションサイトを構成するサーバとは別のサーバに構成されることとしてもよい。
【００３６】  図２は、本実施形態に係る商品評価装置１の機能的構成を示すブロック図である。本実施形態の商品評価装置１は、電子商取引サーバに構成される。電子商取引サーバは、取り引き対象の商品に関する商品情報の登録を店舗から受け付けて、購入を希望するユーザからの商品情報の提示の要求に応じて、商品情報を提示する。また、電子商取引サーバは、商品の取り引きに関する決済処理等を実施できる。
【００３７】  本実施形態の商品評価装置１は、図２に示すように、機能的には、受付部１１（受付手段）、要求部１２（取得手段、要求手段）、画像取得部１３、評価部１４（評価手段）及び出力部１５（出力手段）、を備える。また、商品評価装置１は、生成部１６（生成手段）、を更に備えることとしてもよい。また、商品評価装置１は、電子商取引サイトの機能としての、商品登録受付部２１、商品情報要求受付部２２及び商品情報出力部２３（出力手段）を含むこととしてもよい。また、商品評価装置１の各機能部は、特徴情報記憶部３１（特徴情報記憶手段）、商品情報記憶部３２（商品情報記憶手段）といった記憶手段にアクセス可能である。なお、本実施形態では、特徴情報記憶部３１及び商品情報記憶部３２は、商品評価装置１とネットワークを介して接続される別の装置に構成されることとしているが、商品評価装置１に備えられることとしてもよい。
【００３８】  図３は、商品評価装置１のハードウェア構成図である。商品評価装置１は、物理的には、図３に示すように、プロセッサにより構成されるＣＰＵ１０１、ＲＡＭ及びＲＯＭといったメモリにより構成される主記憶装置１０２、ハードディスク等で構成される補助記憶装置１０３、ネットワークカード等で構成される通信制御装置１０４、入力デバイスであるキーボード、マウス等の入力装置１０５、ディスプレイ等の出力装置１０６などを含むコンピュータシステムとして構成されている。
【００３９】  図２に示した各機能は、図３に示すＣＰＵ１０１、主記憶装置１０２等のハードウェア上に所定のコンピュータソフトウェア（商品評価プログラム）を読み込ませることにより、ＣＰＵ１０１の制御のもとで通信制御装置１０４、入力装置１０５、出力装置１０６を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。
【００４０】  続いて、商品評価装置１の機能部を説明する。まず、機能部１１〜１６の説明に先立って、電子商取引サイトを構成するための機能部２１〜２３及び商品情報記憶部３２について説明する。商品登録受付部２１は、ユーザ（店舗）の端末装置Ｔから、取り引きの対象とする商品の商品情報の登録を受け付ける部分である。商品情報は、例えば、商品名、商品の属性、価格、商品の画像等の情報を含む。商品登録受付部２１は、受け付けた商品情報を商品情報記憶部３２に記憶させる。商品情報記憶部３２は、取り引きの対象とする商品の商品情報を記憶する記憶手段である。
【００４１】  商品情報要求受付部２２は、商品の購入を検討するユーザの端末装置からの商品情報の提示の要求を受け付ける部分である。具体的には、商品情報要求受付部２２は、商品名の指定を含む要求を受け付けることができる。また、商品情報要求受付部２２は、商品の属性の指定を含む検索要求を受け付けることとしてもよい。
【００４２】  商品情報出力部２３は、商品情報要求受付部２２により受け付けられた商品情報の提示の要求に応じて、要求元の端末装置に商品情報を出力する部分である。例えば、商品名の指定を含む要求が受け付けられた場合には、商品情報出力部２３は、指定された商品名の商品情報を商品情報記憶部３２から抽出して、抽出した商品情報を要求元の端末装置に送信する。また、商品の属性や商品名の一部の文字列の指定を検索条件として含む検索要求が受け付けられた場合には、商品情報出力部２３は、検索条件に該当する商品情報を商品情報記憶部３２から抽出して、抽出した商品情報を要求元の端末装置に送信する。
【００４３】  続いて、商品評価装置１の機能部１１〜１６を説明する。受付部１１は、商品の属性を特定可能な商品特定情報を受け付ける部分である。具体的には、例えば、受付部１１は、ユーザ（店舗）の端末装置Ｔから、取り引き対象の商品として登録しようとする商品の商品特定情報を受け付ける。本実施形態において、商品の属性は、該当する指定情報（後述）を特定するための情報で、商品自体、ジャンル名、ブランド名、ブランドのシリーズ名等の情報である。なお、商品自体を示す情報として、商品名や商品ＩＤを利用することができる。商品特定情報は、例えば、商品名、商品ＩＤ、ジャンル名、ブランド名、商品シリーズの名称、年代、商品の画像等である。なお、本実施形態では、商品登録受付部２１により商品情報の登録を受け付けた場合に、受付部１１は、その登録とリンクして、商品特定情報を受け付けることとしてもよい。
【００４４】  要求部１２は、商品の属性毎に真正商品かどうかを評価するための特徴部分が映った真正画像と、その特徴部分を指定する指定情報とが関連付けて記憶された特徴情報記憶部３１から、商品特定情報によって特定された商品の属性に対応する指定情報を取得する部分である。また、要求部１２は、特徴情報記憶部３１から取得された指定情報に基づいて商品の特徴部分を指定して撮影をユーザに要求すると共に、当該撮影により得られた撮影画像を要求する部分である。商品の特徴部分は、当該商品を他の商品と区別することが可能な部分であって、一の商品に複数の特徴部分があってもよい。具体的には、例えば、要求部１２は、特徴情報記憶部３１を参照して、受付部１１により受け付けられた商品特定情報に応じた指定情報を抽出する。そして、要求部１２は、抽出した指定情報をユーザの端末装置Ｔに送信することにより、指定情報により指定される特徴部分が表された撮影画像の撮影をユーザに対して要求する。
【００４５】  より具体的に説明すると、要求部１２は、受付部１１が受け付けた商品特定情報に該当する商品属性を特定する。例えば、商品特定情報として商品名を受ける場合、特徴情報記憶部３１に記憶された複数の商品属性の中から同じ商品名、又は、該当するジャンル名、ブランド名、シリーズ名を特定する。該当するジャンル名等を特定するには、別途用意した商品名とジャンル名等とを関連付けたデータを用いる。
【００４６】  特徴情報記憶部３１は、商品特定情報に指定情報及び真正画像を対応付けて記憶している記憶手段である。図４は、特徴情報記憶部３１の構成及び記憶されているデータの例を模式的に示す図である。図４に示すように、特徴情報記憶部３１は、例えば、商品特定情報Ａ１に指定情報Ｉ１及び真正画像Ｆ１を対応付けて記憶している。
【００４７】  指定情報は、例えば、商品の特徴部分を示すテキスト情報でもよいし、特徴部分が示された画像であってもよい。特徴部分が示された画像は、真正画像と同一であってもよい。また、指定情報は、特徴部分を特定可能なガイド画像であってもよい。ガイド画像は、例えば、特徴部分の形状や位置を模式的に表した画像であって、例えば、特徴部分の輪郭を示す画像であってもよい。また、ガイド画像は、特徴部分の撮影をユーザに促すためのメッセージからなるテキストを含んでもよい。このようなガイド画像がユーザに送信されることにより、ユーザが商品の特徴部分を視覚的に認識できるので、ユーザにおける撮影画像の撮影が容易となる。
【００４８】  図５は、ガイド画像の例を示す図である。図５（ａ）に示されるガイド画像は、ラベル及びラベルが付された部分を模式的に表しており、ラベルの形状が破線で表されている。ガイド画像は、ラベルの形状のコーナー部分の位置が示されるような画像であってもよい。なお、ガイド画像は、特徴情報記憶部３１に予め記憶されていることとしてもよいし、後述するように真正画像から生成されることとしてもよい。図５（ｂ）に示されるガイド画像は、ボタン及びボタンが付された部分を模式的に表しており、ボタンの形状が破線で表されている。また、図５（ｃ）に示されるガイド画像は、ポケット及びポケットが付された部分を模式的に表しており、ポケットの形状が破線で表されている。
【００４９】  真正画像は、商品特定情報により特定される商品の真正商品の特徴部分が表された画像である。真正画像は、後述するように、要求に応じたユーザの端末装置Ｔから取得した撮影画像の信頼度を算出するために参照される画像であって、撮影画像との類似度の算出に用いられる。例えば、ジーンズのような商品では、ポケット、ラベル、ステッチなどの部分がブランドごとに特徴的であり、真正商品か否かを見分けるポイントになる。そこで、これらの部分を特徴部分とすることができる。
【００５０】  図６は、真正画像の例を模式的に示す図である。図６（ａ）〜（ｃ）に示される真正画像はそれぞれ、図５（ａ）〜（ｃ）に示されるガイド画像に対応する。即ち、図６（ａ）に示される真正画像は、特徴情報記憶部３１（図４）において対応付けられた商品特定情報により特定される商品の真正商品のラベル及びラベルが付された部分の画像である。また、図６（ｂ）に示される真正画像は、特徴情報記憶部３１において対応付けられた商品特定情報により特定される商品の真正商品のボタン及びボタンが付された部分の画像である。さらに、図６（ｃ）に示される真正画像は、特徴情報記憶部３１において対応付けられた商品特定情報により特定される商品の真正商品のポケット及びポケットが付された部分の画像である。なお、真正画像は、特徴情報記憶部３１に予め記憶されており、例えば、商品のメーカー等から提供されることとしてもよい。
【００５１】  画像取得部１３は、要求部１２からの要求に応じてユーザにより撮影された撮影画像を取得する部分である。具体的には、まず、ユーザが端末装置Ｔにより、取り引き対象の商品として登録しようとする商品の特徴部分の画像である撮影画像を指定情報に基づき撮影する。この撮影に際して、端末装置Ｔが、撮影位置を示すファインダーの画像にガイド画像を重畳表示させるように構成されていることとしてもよい。これにより、ユーザは容易に撮影画像を撮影できる。そして、端末装置Ｔにおいて撮影された撮影画像が、商品評価装置１に送信されると、画像取得部１３は、端末装置Ｔから送信された撮影画像を取得する。即ち、撮影画像は、指定情報によって指定された特徴部分をユーザが撮影し、商品評価装置１に送信された画像である。
【００５２】  評価部１４は、商品特定情報により特定される商品の真正商品の特徴部分が表された真正画像と、画像取得部１３により取得された撮影画像との類似度に基づき信頼度を算出する部分である。信頼度は、撮影画像の真正画像に対する類似度が高いほど高くなり、撮影画像に示される商品が真正商品である確からしさを示す値である。評価部１４は、撮影画像と真正画像との類似度を周知の画像処理技術により評価することができる。
【００５３】  なお、評価部１４は、撮影画像における商品の特徴部分が表された領域と真正画像における特徴部分が表された領域との類似度が所定の程度以上である場合に、撮影画像における商品の特徴部分が表された領域以外の領域と真正画像における特徴部分が表された領域以外の領域との類似度及び特徴部分の領域の類似度に基づき信頼度を算出することとしてもよい。これにより、真正品から取り外されたラベル及びボタン等の特徴部分が取り付けられた非真正品の撮影画像がユーザから送信された場合であっても、特徴部分以外（例えば生地）の類似度が評価に用いられるので、信頼度を適切に評価できる。
【００５４】  出力部１５は、評価部１４により評価された評価結果を出力する部分である。本実施形態では、評価結果の一例として信頼度が出力される。図７は、出力部１５により出力される評価結果の一例を示す図である。図７に示すように、評価結果は、商品ＩＤ「Ｍ１」に対応付けられた信頼度「９０％」といった情報を含む。商品ＩＤは、例えば、商品登録受付部２１によりユーザの端末装置Ｔからの商品の登録の要求が受け付けられたときに、当該商品を識別するために付された情報である。これにより、評価結果に基づき商品が真正商品である可能性の判断が可能となる。よって偽物の商品が取り引きの対象とされることが抑制される。評価結果の出力処理について、以下に具体的に説明する。
【００５５】  出力部１５は、評価結果をユーザに対して通知することができる。即ち、出力部１５は、信頼度を含む評価結果をユーザの端末装置Ｔに送信する。これにより、撮影画像に表された商品が真正商品である可能性のユーザによる判断が可能となる。また、出力部１５は、商品評価装置１が備える表示手段（出力装置１０６の一例）に評価結果を表示させることとしてもよい。
【００５６】  また、出力部１５は、当該商品の取引のために商品が表示される商品ページに評価結果を表示させることとしてもよい。具体的には、例えば、出力部１５は、商品情報出力部２３が、商品の購入を検討しているユーザの端末装置からの要求に応じて、商品に関する情報をユーザに提示するために出力する商品ページに、評価結果に含まれる信頼度を表示させる。図８は、信頼度が表示された商品ページの一例を示す図である。図８に示される商品ページは、商品ＩＤ「Ｍ１」の商品（ジーンズ）に関する情報をユーザに提示するためのページであって、信頼度を示す「信頼度９０％」といった表示を含む。
【００５７】  また、出力部１５は、商品情報記憶部３２において、評価結果を当該商品に対応付けて記憶させることとしてもよい。図９は、商品情報記憶部３２の構成及び記憶されているデータの例を模式的に示す図である。商品情報記憶部３２は、前述のとおり、取り引きの対象とする商品の商品情報を記憶する記憶手段であって、商品を識別する商品ＩＤに、価格及びその他の属性情報を対応付けて記憶している。そして、出力部１５は、図９に示すように、評価部１４により評価された信頼度を各商品ＩＤに対応付けて記憶させることができる。例えば、商品ＩＤ「Ｍ１」には、信頼度「９０％」といったデータが対応付けられており、商品ＩＤ「Ｍ２」には、信頼度「９５％」といったデータが対応付けられている。このように、信頼度が商品情報に対応付けられることにより、商品の購入を検討しているユーザからの要求に応じて商品情報出力部２３が商品情報を出力するに際して、その商品情報の提示の態様に信頼度を反映させることが可能となる。
【００５８】  例えば、商品情報出力部２３は、信頼度が所定値以上の商品の商品情報を出力することとしてもよい。具体的には、商品情報出力部２３は、端末装置からの商品情報の提示の要求に該当する商品情報を商品情報記憶部３２から抽出し、抽出した商品情報のうち所定値以上の信頼度が対応付けられている商品情報を要求元の端末装置に送信する。これにより、偽物である可能性が高い商品の商品情報が提示されることが防止される。
【００５９】  また、商品情報出力部２３は、複数の商品情報の提示に際して、信頼度が高い商品情報ほど上位に表示されるように出力することとしてもよい。具体的には、例えば、検索条件が指定された検索要求を端末装置から受け付けた場合に、商品情報出力部２３は、検索条件に該当する商品情報を商品情報記憶部３２から抽出し、抽出した複数の商品情報を、信頼度により降順にソートして要求元の端末装置に送信する。これにより、偽物である可能性が高い商品の商品情報が、提示されにくくなる。
【００６０】  また、出力部１５は、信頼度が所定値未満である撮影画像に対応する商品情報が商品情報記憶部３２に登録されないように制御することとしてもよい。具体的には、商品登録受付部２１により、ユーザの端末装置Ｔから、ある商品を取り引きの対象とすべく、商品情報の登録が受け付けられた場合であっても、当該商品の撮影画像に関して評価部１４により評価された信頼度が所定値未満である場合には、出力部１５は、当該商品の商品情報が商品情報記憶部３２に登録されないように制御する。これにより、偽物である可能性が高い商品の商品情報が商品情報記憶部３２に登録されないこととなるので、偽物である可能性が高い商品が取引の対象とされることが防止される。
【００６１】  また、出力部１５は、取り引きの対象とすべく商品情報の登録が商品登録受付部２１により受け付けられた商品に対して、属性情報として対応付けるための補完商品情報を出力することができる。具体的には、まず、評価部１４が、特徴情報記憶部３１を参照して、画像取得部１３により取得された撮影画像と所定の程度以上の類似度を有する真正画像に対応付けられた商品特定情報を補完商品情報として抽出する。そして、出力部１５は、抽出された補完商品情報を出力する。
【００６２】  補完商品情報の出力処理について、図４を参照してより具体的に説明すると、例えば、取り引き対象として登録しようとしている商品を特定する商品特定情報Ａ２が受付部１１により受け付けられたとすると、要求部１２が、商品特定情報Ａ２に対応付けられた指定情報Ｉ２を端末装置Ｔに送信して、ユーザに撮影画像の撮影を要求する。この要求に応じて端末装置Ｔから送信された撮影画像Ｂを画像取得部１３が取得すると、評価部１４は、商品特定情報Ａ２に対応付けられた真正画像Ｆ２と撮影画像Ｂとの類似度を評価する。さらに、評価部１４は、特徴情報記憶部３１に記憶された他の真正画像と撮影画像Ｂとの類似度を評価する。例えば、撮影画像Ｂと真正画像Ｆ３との類似度が、撮影画像Ｂと真正画像Ｆ２との類似度よりも高く且つ所定の程度以上である場合に、評価部１４は、真正画像Ｆ３に対応付けられた商品特定情報Ａ３を抽出する。そして、出力部１５は、商品特定情報Ａ３に含まれる属性情報を補完商品情報として出力する。補完商品情報の出力の例としては、ユーザに提示するための端末装置Ｔへの送信であってもよいし、商品情報記憶部３２における当該商品の属性情報としての登録であってもよい。これにより、撮影画像に表された商品を特定する情報として、より確からしい情報が出力されるので、商品が真正商品である可能性の判断が可能となる。
【００６３】  再び図２を参照して、生成部１６は、真正商品の特徴部分が表された真正画像に基づきガイド画像を生成する部分である。図１０を参照してガイド画像の生成について説明する。図１０（ａ）は、ある商品の真正商品に付されたラベル及びその周辺が表された真正画像ＦＸである。生成部１６は、真正画像ＦＸに基づき、図１０（ｂ）に示されるようなガイド画像ＩＸを生成する。ガイド画像の生成は、例えば、周知の画像処理技術により実現可能であって、真正画像ＦＸのエッジやコーナー部分の検出によりラベルの輪郭を抽出することによりガイド画像ＩＸを生成できる。これにより、ユーザに対して出力するための指定情報としてのガイド画像を容易に準備することができる。
【００６４】  次に、評価部１４による信頼度の評価の他の例について説明する。評価部１４は、一つの商品について提供された前記複数の撮影画像に対応する複数の位置情報同士の相違に基づいて、信頼度を算出することとしてもよい。この場合には、要求部１２は、一の商品について、特徴部分を撮像した場所を示す位置情報が対応付けられた複数の撮影画像の撮影をユーザに要求する。複数の撮影画像をユーザに要求することにより、より厳密な信頼度の評価が可能となる。この要求に際して、要求部１２は、複数の指定情報をユーザに提示することとしてもよい。画像取得部１３は、要求に応じてユーザから送信された複数の撮影画像を取得する。図１１は、一の商品に関する信頼度の評価のために端末装置Ｔから送信された複数の撮影画像の例を示す図である。これらの撮影画像はそれぞれ、商品の特徴部分を表すと共に、特徴部分が撮影された場所を示す位置情報を伴っている。
【００６５】  図１１（ａ）は、ラベルが表された撮影画像Ｂ６１を示す。撮影画像Ｂ６１は位置情報Ｇ６１を有する。図１１（ｂ）は、留め金が表された撮影画像Ｂ６２を示す。撮影画像Ｂ６２は位置情報Ｇ６２を有する。図１１（ｃ）は、生地が表された撮影画像Ｂ６３を示す。撮影画像Ｂ６３は位置情報Ｇ６３を有する。
【００６６】  評価部１４は、各撮影画像に対応付けられた位置情報に所定以上の相違がある場合に、複数の位置情報の相違が所定未満である場合より信頼度を低く評価する。複数の撮影画像の各々に対応付けられた位置情報が相違する場合には、取得した撮影画像の少なくともいずれかが取引に供する商品の画像ではない可能性がある。そのような場合に当該商品の信頼度をより低く評価することにより、偽物である可能性が高い商品が取り引きの対象とされることが防止される。
【００６７】  具体的には、まず、評価部１４は、撮影画像Ｂ６１，Ｂ６２，Ｂ６３とそれぞれ対応する真正画像との類似度に基づき仮の信頼度を算出する。評価部１４は、位置情報Ｇ６１，Ｇ６２，Ｇ６３のそれぞれが示す位置を比較し、所定以上の位置の相違がある場合に、仮の信頼度より低い値を、当該商品に関する信頼度として出力する。この場合の信頼度の算出は、例えば、仮の信頼度から所定の値を減じることとしてもよいし、所定の係数を乗じることとしてもよい。
【００６８】  次に、図１２を参照して、評価部１４による信頼度の評価の他の例について説明する。この例では、評価部１４は、画像取得部１３により取得された撮影画像が、同じユーザから取得した他の商品の撮影画像と同一である場合に、同一でない場合より信頼度を低く評価する。ここで、他の商品とは、例えば、撮影画像に表された商品と同じ種類の商品であって、別個の商品である。取り引きの対象の商品の撮影画像としてユーザから取得した撮影画像が、当該ユーザから取得した他の商品の撮影画像と同一である場合には、撮影画像が取り引きに供する商品の画像ではない可能性がある。そのような場合に当該商品の信頼度がより低く評価されるので、偽物である可能性が高い商品が取り引きの対象とされることが防止される。
【００６９】  具体的には、このような評価のために、評価部１４による信頼度の評価のために取得した撮影画像が、商品情報記憶部３２において、それぞれの商品の商品ＩＤに対応付けられて記憶されている。図１２は、撮影画像が記憶されている商品情報記憶部３２の構成及びデータの例を示す図である。図１２に示すように、商品情報記憶部３２は、商品ＩＤに、価格、ユーザＩＤ、その他の属性情報、評価された信頼度及び撮影画像を対応付けて記憶している。ここで、画像取得部１３が、ユーザＩＤ「Ｕ０４」のユーザから、新たに取り引きの対象とするために、ある商品（商品Ｍ１〜Ｍ４とは異なる）の撮影画像Ｂ５を取得したとすると、まず、評価部１４は、撮影画像Ｂ５と対応する真正画像との類似度に基づき仮の信頼度を算出する。評価部１４は、ユーザＩＤ「Ｕ０４」のユーザから過去に取得した撮影画像Ｂ４と撮影画像Ｂ５とを対比し、両画像が同一である場合に、仮の信頼度より低い値を、当該商品に関する信頼度として出力する。この場合の信頼度の算出は、例えば、仮の信頼度から所定の値を減じることとしてもよいし、所定の係数を乗じることとしてもよい。
【００７０】  次に、図１３を参照して、本実施形態の商品評価方法について説明する。図１３は、図２に示した商品評価装置１における商品評価方法の処理内容の例を示すフローチャートである。
【００７１】  まず、受付部１１は、ユーザの端末装置Ｔから、取り引き対象の商品として登録しようとする商品の商品特定情報を受け付ける（Ｓ１）。商品特定情報を受け付けると、要求部１２は、商品特定情報により特定される商品の特徴部分を指定する指定情報を特徴情報記憶部３１から取得する（Ｓ２）。そして、要求部１２は、ステップ２において取得した指定情報をユーザの端末装置Ｔに送信する（Ｓ３）。これにより、特徴部分が表された撮影画像の撮影がユーザに対して要求される。
【００７２】  続いて、画像取得部１３は、要求部１２からの要求に応じてユーザの端末装置Ｔにより撮影及び送信された撮影画像を取得する（Ｓ４）。撮影画像を取得すると、評価部１４は、商品特定情報により特定される商品の真正商品の特徴部分が表された真正画像と、撮影画像との類似度に基づき信頼度を算出する（Ｓ５）。
【００７３】  そして、出力部１５は、ステップＳ５において評価された信頼度を含む評価結果を出力する（Ｓ６）。
【００７４】  次に、図１４を参照して、コンピュータを商品評価装置１として機能させるための商品評価プログラムを説明する。商品評価プログラム１ｐは、メインモジュールｍ１０、受付モジュールｍ１１、要求モジュールｍ１２、画像取得モジュールｍ１３、評価モジュールｍ１４及び出力モジュールｍ１５を備える。また、商品評価プログラム１ｐは、生成モジュールｍ１６を更に備えることとしてもよい。
【００７５】  メインモジュールｍ１０は、商品評価処理を統括的に制御する部分である。受付モジュールｍ１１、要求モジュールｍ１２、画像取得モジュールｍ１３、評価モジュールｍ１４、出力モジュールｍ１５及び生成モジュールｍ１６を実行することにより実現される機能はそれぞれ、図２に示される商品評価装置１の受付部１１、要求部１２、画像取得部１３、評価部１４、出力部１５及び生成部１６の機能と同様である。
【００７６】  商品評価プログラム１ｐは、例えば、ＣＤ−ＲＯＭやＤＶＤ−ＲＯＭまたは半導体メモリ等の記憶媒体１ｄによって提供される。また、商品評価プログラム１ｐは、搬送波に重畳されたコンピュータデータ信号として通信ネットワークを介して提供されてもよい。
【００７７】  以上説明した本実施形態の商品評価装置１、商品評価方法及び商品評価プログラム１ｐによれば、商品の特徴部分の画像の撮影がユーザに対して要求され、要求に応じてユーザにおいて撮影された撮影画像が取得される。即ち、真性品と偽物との判別が可能であるような特徴部分の画像の取得がユーザに要求されることとなる。従って、偽物が取り引きの対象とされることの抑制が可能となる。
【００７８】  以上、本発明をその実施形態に基づいて詳細に説明した。しかし、本発明は上記実施形態に限定されるものではない。本発明は、その要旨を逸脱しない範囲で様々な変形が可能である。
【００７９】  上記実施形態では、端末装置Ｔのユーザは、電子商取引サイトにおける店舗やオークションサイトにおける出品者であることとして説明したが、電子商取引サイト及びオークションサイト等において商品を購入したユーザであってもよい。この場合には、ユーザは、購入後の商品が真正商品である可能性を認識できる。具体的には、例えば以下のような態様が考えられる。即ち、商品評価装置１は、ユーザの商品の購入履歴画面において、購入した商品が真正商品であることを確認するための確認ボタンを商品ごとに表示させる。確認ボタンが操作されると、対応する商品を特定する商品特定情報が受付部１１により受け付けられ、要求部１２が、商品特定情報に対応するガイド画像をユーザの端末装置に送信及び表示させる。ガイド画像が表示された端末装置により、ユーザが、購入した商品の特徴部分を撮影し、特徴部分が表された撮影画像を商品評価装置１に送信すると、評価部１４は、当該商品に出品者により登録された真正画像と、撮影画像との類似度に基づく信頼度を算出する。そして、出力部１５は、信頼度を含む評価結果をユーザの端末装置に出力する。これにより、ユーザは、自分に届けられた商品の信頼度を得ることができる。
【００８０】  また、以上説明したような態様を、実在の店舗において商品の購入を検討しているユーザがその商品の評価結果を得るためのシステムとして適用してもよい。即ち、商品の購入を検討しているユーザが、店舗においてその商品の特徴部分を撮影した撮影画像を商品評価装置１に送信することにより、商品が真正品であるか否かの信頼度を含む評価結果を得ることができる。
【００８１】  また、上記実施形態では、商品評価装置１が電子商取引サイトを構成する電子商取引サーバに構成されることとしたが、商品評価装置１が、ユーザが利用する端末装置に構成されることとしてもよい。この場合には、図２に示した機能部１１〜１６のうちの一部または全部が端末装置に構成される。例えば、機能部１１〜１５の全てが端末装置に構成されることとしてもよいし、機能部１１〜１３，１５が端末装置に構成され、評価部１４がサーバに構成されることとしてもよい。このような端末装置によれば、例えば、実在の店舗で商品の購入を検討するに際して、その商品の商品特定情報をユーザが端末装置に入力すると、受付部１１により商品特定情報が受け付けられる。そして、要求部１２が、入力された商品特定情報に対応する指定情報を提示して、その商品の特徴部分の撮影をユーザに対して要求する。要求に応じてユーザが当該商品の特徴部分を撮像すると、画像取得部１３が、特徴部分が表された撮影画像を取得する。評価部１４は、取得した撮影画像と、対応する真正画像との類似度に基づく信頼度を算出する。そして、出力部１５は、信頼度をユーザに対して提示する。このように信頼度がユーザに提示されるので、ユーザは、その商品が真正商品である可能性を認識できる。
【００８２】  また、撮影画像と真正画像との類似度の評価が人によって行われることとしてもよい。この場合には、評価部１４が、撮影画像と真正画像とを表示手段に並べて表示させ、人による評価の入力を受け付けることとしてもよい。
【００８３】  また、機能部１１〜１６のうちの一部または全部が含まれる上記端末装置によれば、商品を購入したユーザが、購入済みの商品の商品特定情報の送信、及び要求部１２からの要求に応じた撮影画像の送信を行い、撮影画像の信頼性の評価及びユーザに対しての信頼性の出力が行われることにより、ユーザにおいて購入済みの商品が真正商品である可能性を認識できる。
【符号の説明】
【００８４】  １…商品評価装置、１ｄ…記憶媒体、１ｐ…商品評価プログラム、１１…受付部、１２…要求部、１３…画像取得部、１４…評価部、１５…出力部、１６…生成部、２１…商品登録受付部、２２…商品情報要求受付部、２３…商品情報出力部、３１…特徴情報記憶部、３２…商品情報記憶部、ｍ１０…メインモジュール、ｍ１１…受付モジュール、ｍ１２…要求モジュール、ｍ１３…画像取得モジュール、ｍ１４…評価モジュール、ｍ１５…出力モジュール、ｍ１６…生成モジュール、Ｔ…端末装置。  
【要約】  商品評価装置は、商品の属性を特定可能な商品特定情報を受け付ける受付手段と、商品の属性毎に真正商品かどうかを評価するための特徴部分が映った真正画像と、該特徴部分を指定する指定情報とが関連付けて記憶された記憶手段から、商品特定情報によって特定された商品の属性に対応する指定情報を取得する取得手段と、記憶手段から取得された指定情報に基づいて商品の特徴部分を指定して撮影をユーザに要求すると共に、当該撮影により得られた撮影画像を要求する要求手段と、要求に応じて提供された撮影画像と、記憶手段に記憶されている真正画像とに基づいて得られた評価結果を出力する出力手段と、を備える。【図１】
0005816393.tif 000002
【図２】
0005816393.tif 000003
【図３】
0005816393.tif 000004
【図４】
0005816393.tif 000005
【図５】
0005816393.tif 000006
【図６】
0005816393.tif 000007
【図７】
0005816393.tif 000008
【図８】
0005816393.tif 000009
【図９】
0005816393.tif 000010
【図１０】
0005816393.tif 000011
【図１１】
0005816393.tif 000012
【図１２】
0005816393.tif 000013
【図１３】
0005816393.tif 000014
【図１４】
0005816393.tif 000015